(57)【要約】【課題】監視カメラ等や収納箱等の製品を梁又は柱等にネジ穴跡を付けることなく取り付けることができ、母体である梁又は柱そしてポール等に取り付け後でも多少の移動が容易にでき、そして梁又は柱そしてポール等の材質や形状で取れ付けが左右され難い取り付け器具の提供を目的とする。【解決の手段】製品又は製品の台座等に取り付けるためのホルダー脇部部分１があり母体に取り付けられている細長いものを移動可能板３で母体より引き離しそして雄ネジ４の頭等で押さえられているホルダーの上部部分５と移動可能板３でこの細長いものを強く挟み込み、この細長いものが持つ剛性力及び張力を利用して製品又は製品の台座等を母体に固定し設置する本発明の取れ付け器具２５である。これは、ネジ穴を付けず、取り付け後でも少し母体に沿って移動でき、そして母体の形状や材質で取り付けが左右され難い特徴をもつ。【選択図】図１
2019201192.tif 000002
【特許請求の範囲】
【請求項１】
本発明の取り付け器具（２５）は、ホルダー上部部分（５）、ホルダー脇部部分（１）、移動可能板（３）、雄ネジ（４）、そして必要と思った時に使用する止めネジ（３０）等からできており、ホルダー脇部部分（１）は、製品（１９）又は製品の台座の箱状のもの（１８）等を取り付けることができる。母体（２８）である梁又は柱そしてポール等に細長いもの（２０）が、強固に取り付けられている。そして雄ネジ（４）と移動可能板（３）でネジジャッキを形成しており雄ネジ（４）を締めることにより移動可能板（３）が細長いもの（２０）を剛性力及び張力を伴いながら母体（２８）より引き離なす。そして雄ネジの頭（２１）で押さえられているホルダーの上部部分（５）と移動可能板（３）でこの細長いもの（２０）を強く挟み込み又は、止めネジ（３０）でも細長いもの（２０）を抑え込み、この細長いもの（２０）が持つ剛性力及び張力を利用して製品（１９）又は製品と台座を含む箱状のもの（５３）を母体（２８）に固定し設置する機能を持つ取れ付け器具
【請求項２】
「請求項１」の本発明の取り付け器具にて雄ネジ（４）に異常な力が加わりずれて雄ネジ（４）を曲たり、移動可能板（３）やホルダーの上部部分（５）等を破損しないようにホルダーをコの字型にして移動可能板（３）を挟みホルダーの上部部分（５）に対向するホルダー底部部分（２）に雄ネジ（４）の径より少し大きいな雄ネジの頭（２１）が通らない径の穴を開け、移動可能板（３）が持つ雄ネジ（４）に合う雌ネジの穴を対向して挟むように配置され、雄ネジ（４）をそれらの穴を通すことにより雄ネジ（４）のずれを最小限にして本発明の取り付け器具（３２）の雄ネジ（４）が曲がったり、移動可能板（３）やホルダーの上部部分（５）等が破損したりすることから保護する機構。
【請求項３】
ワイヤーの細長いもの（１０）を使って「請求項１」の本発明の取り付け器具（２５）を取り付ける様とするときに使用するワイヤー組み込み治具（５２）は「請求項１」の本発明の取り付け器具（２５）の移動可能板（３）を母体（２８）側ギリギリに移動させ移動可能板（３）に２本分のワイヤーを挿入し乗せられるように挿入させるワイヤーの径より少し幅が太い溝（５１）をワイヤー組み込み治具（５２）に作っておきワイヤーの細長いもの（１０）の両端をこのワイヤー組み込み治具（５２）に組み込むのと同時に、本発明の取り付け器具（２５）の母体（２８）側ギリギリに移動させた移動可能板（３）が挿入し易い様に母体（２８）から少しの隙間を作りだし本発明の取り付け器具（２５）にとってワイヤーを組み込み易い形を作りだすワイヤー組み込み治具（５２）。
【請求項４】
「請求項１」の本発明の取り付け器具（２５）等に使用する細長いものを構成するときに使うもので、先端Ａ（４１）、先端Ｂ（４２）の両端に雄ネジを切ってある金属等の棒を母体（２８）となる梁又は柱等の断面寸法に合わせて曲げられている金属の棒が母体（２８）に巻き付いているのを繋ぎ止める時に使う金具でありＬ字の垂直面部（３９）とＬ字の底面部（４０）から成っておりＬ字の垂直面部（３９）にネジ溝が切られた金属棒の径より少し大きな径で２つの穴を開けてある繋ぎ金具（９）は、片方の穴の処には金属棒の細長いものの先端Ａ（４１）の雄ネジの奥までをナットＸ（４３）を締めて繋ぎ金具（９）を通し更にナットＹ（４４）でこの繋ぎ金具を挟むように繋ぎ金具（９）を締め付けて金属棒の細長いものの先端Ａ（４１）に繋ぎ金具（９）を固定する。また、金属棒の細長いものをもう一方の先端Ｂ（４２）を繋ぎ金具（９）の片方の空いている穴に先端Ａ（４１）とは逆の方から通そしてその後先端Ｂ（４２）をナットＺ（４５）で締める。金属棒が母体に対して巻き付けられている巻き付きを強くするときは、ナットＺ（４５）を締めつけ、巻き付きを弱くするときは緩める様にして巻き付きの度合をナットＺ（４５）で調節できる繋ぎ金具。
【発明の詳細な説明】
【技術分野】
【０００１】本発明は梁又は柱そしてポール等に関する取り付け部材に関するものである。
【背景技術】
【０００２】  照明機器、監視カメラそして警告灯等や収納箱、棚そして展示棚等の製品を梁又は柱そしてポール等に取り付ける場合のやり方として、直接梁又は柱等にタピングネジ等でこれらの製品を取り付けるやり方、または、市販されている取れ付け金具の中から使いそうなものを選んでそれを使って梁又は柱そしてポール等にこれらの製品を取り付けるやり方、そして、初めから梁又は柱そしてポール等に取り付けることを前提に設計されて市販されている製品等は、それ専用の取り付け器具が用意されている場合がありそれらを使って取り付けるやり方等がある。
【先行技術文献】
【０００３】
【特許文献１】特開２０００−３１５８７０
【０００４】
【非特許文献１】未来工業株式会社  電材カタログ２０１７  ５月  ウォルボックス
【発明の概要】
【発明が解決しようとする課題】
【０００５】  空間に架け渡された梁又は空間に設けられた柱等に、専用の取り付け器具が用意されてない照明機器、監視カメラそして警告灯等や収納箱、棚そして展示棚等の製品を取り付けようとした場合、市販の取り付け金具を選んで使かって取り付けるか、これら製品をタッピングネジ等で直接取り付けてしまうのが一般的な取り付け方と思われる。【０００６】  しかし取り付けたこれらの製品が後日撤去されることが決まっている時など梁又は柱等に、タッピングネジ等を使って取り付けた穴跡が残るのを嫌い、取り付けた穴跡が残らない方法がないか等と考える。【０００７】  又は、取り付けたこれらの製品を増設などのため後日少し移動する必要があることがわかりタッピングネジ等を取り外しそしてこれらの製品を移動しタッピングネジ等で再度の取り付けを行う時など何とかスムーズに移動ができタッピングネジ等の取り付け穴跡が残らない取り付け方法がないか等と考える。【０００８】  それから、梁又は柱そしてポール等の形状が極端に細い場合や、円筒形等の場合そして材質が非常に硬い等のためこれらの製品を梁又は柱そしてポール等に止められずそして適切な市販取り付け金具等を入手できないため止められないと思う場合など、梁又は柱そしてポール等にこれらの製品を括り付ける方法がないか等と考える。【０００９】  そのためこれらの製品を梁又は柱等にネジ穴跡を付けることなく取り付けることができ、これらの製品を梁又は柱そしてポール等に取り付けた後でも多少の移動が容易にできるものであり、そして梁又は柱そしてポール等の材質や形状がこれらの製品の取れ付けを左右することが少なくない取り付け器具の提供を目的とする。
【課題を解決するための手段】
【００１０】  照明機器、監視カメラそして警告灯等の製品を梁又は柱そしてポール等に取り付けようとした時、極めて製品としての使い方が限定的で決まっているもの以外、重力の影響などを考えれば水平面の板に製品を取り付けるのがより容易いである取り付けと思われる。当然、製品を水平面の板に取り付けるには穴を開けたり、タッピングネジ等で止めたり、そして接着等したりすることが必要かもしれない。【００１１】  この水平面の板に製品を取り付けた状態において根元土台の部分を箱等の形で切り取ったものを製品が台座に適切に取り付けができているものとして製品と製品の台座の箱状のものと呼ぶ事にする。【００１２】  この製品と製品の台座の箱状のものに課題を解決するための手段を施す場合と、それから、収納箱、棚そして展示棚等を梁又は柱そしてポール等に取り付けようとした時、これら、収納箱、棚そして展示棚等の製品について使用する向き、強度等を考えてこれらの製品に直接課題を解決するための手段を施す場合とが、  それぞれあると思われる。【００１３】  製品と製品の台座の箱状のものに、またはこれらの製品に直接それぞれの課題を解決するための手段を施す手段は、同じ手段であるため課題を解決するための手段として製品と製品の台座の箱状のものに対する手段を示す。【００１４】  例として図２アルミ棒単一品でできた細長いものの様に又は、図３ワイヤー単一でできた細長いものの様に単一品でできた細長いものが母体となる梁又は柱そしてポール等に少しの隙間を持って巻き付けられている状態等を、又は例として図４アルミ棒とアルミＬ字アングルの複合品でできた細長いものの様に複合品でできた細いものが母体となる梁又は柱そしてポール等に少しの隙間を持って沿わせてある状態等をそれぞれに示す。【００１５】  そして、これらの細長いものは、後で説明するところの図５本発明の取り付け器具の原理構造図における移動可能板３とホルダー上部部分５とで、細長いものを挟み込んだ様子２４の様に細長いものの取り付ける所の一部部分か又は全部の場所で挟み込むことが可能な太さになっている細長いもの２０である。【００１６】  移動可能板３とホルダー上部部分５とで、細長いものの取り付ける場所の一部部分か又は全部の場所で挟み込こむことが可能な太さになっている細長いもの２０で、母体となる梁又は柱そしてポール等の母体面に平行に横たえていて図２の様に又は、図３の様に少しの隙間を持って巻き付ける等している又は図４の様に少しの隙間を持って沿わせる等している細長いもの等を、これからは細長いもの２０と呼ぶことにする。【００１７】  図５に示す細長いもの２０は、これら製品を取り付けようとする個所に移動可能板３を挿入できる少しの隙間を持っていて何らかの方法で母体２８に確りと十二分に強固に取り付けてあるものである。【００１８】  ここでは、母体２８として梁又は柱そしてポール等を例として挙げ、細長いもの２０を母体２８である梁又は柱そしてポール等の外周に少しの隙間を持って巻き付けるか又は外周に少しの隙間を持って沿わせるかして母体２８にしっかりと十二分に強固に取り付けてある細長いもの２０を使って課題を解決するための手段を示す。【００１９】  照明機器、監視カメラ��して警告灯等の製品１９と製品の台座の箱状のもの２６に後で説明するところの本発明の取り付け器具を適切に取り付けたものを製品と台座を含む箱状のものの例として図６製品と台座を含む箱状のものを示す。今後、図６に示すものを製品と台座を含む箱状のもの５３と呼ぶ。【００２０】  単一品でできた又は複合品でできた細長いもの２０等は、取り付けられる製品と台座を含む箱状のもの５３の重量よりもはるかに大きな力で引っ張ってもちぎれることもなく十二分に製品と台座を含む箱状のもの５３を支えるのに耐えられるものである。【００２１】  製品と製品の台座の箱状のもの２６に適切に取り付けてある本発明の取り付け器具２５のわかりやすく動作説明行うための図を図５本発明の取り付け器具の原理構造図に示す。【００２２】  本発明の取り付け器具２５には、図５の図に示す様に取れ付けホルダーにはホルダー上部部分５とホルダー脇部部分１があり、ホルダー脇部部分１で製品と製品の台座の箱状のもの２６と適切に取り付けている。【００２３】  ホルダー上部部分５には雄ネジ４の軸の径より少し大きな径の穴で雄ネジの頭２１が決して抜け出ることのない穴が開けられている。そして、ホルダー上部部分５の母体２８側にこの雄ネジ４に合う雌ネジの穴を持つ移動可能板３があり雄ネジ４はホルダー上部部分５の雄ネジ４の軸の径より少し大きな径の穴で雄ネジの頭２１が決して抜け出ることのない穴を通ってから移動可能板３の雌ネジの穴を通って製品の台座の箱状のものの底面２９の位置より少し下まで達する様にし、雄ネジの先端２３が母体２８にほぼ垂直に達する様に設定してある。【００２４】  雄ネジの頭２１を右回しに締めると移動可能板３はホルダー上部部分５の方に移動し、雄ネジの頭２１を左回しに緩めると移動可能板３は製品の台座の箱状のものの底面２９の位置の方に動く。そしてこの移動可能板３の位置を製品の台座の箱状のものの底面２９の位置により近くに設定しておく。この雄ネジ４と移動可能板３の関係は、ネジ軸とトラベリングナットの関係でネジジャッキを形成している。【００２５】  図５において、細長いもの２０が母体２８となる梁又は柱そしてポール等に少しの隙間を持って巻き付けて又は少しの隙間を持ち沿って付つけてあり、製品の台座の箱状のものの底面２９の位置により近くに設定してある本発明の取り付け器具２５の移動可能板３をこの少しの隙間に挿入させ細長いもの２０を移動可能板３に乗せ、そして雄ネジの頭２１を締めて移動可能板３をホルダー上部部分５の方に移動させ、母体２８としての梁又は柱そしてポール等から細長いもの２０を引き離している状態である。【００２６】  そしてこの母体２８としての梁又は柱そしてポール等から細長いもの２０を引き離する力に対して細長いもの２０が引き離されまいとする力により発生した張力で雄ネジ４が通っている雌ネジの穴を持つ移動可能板３が雄ネジの頭２１を締める前の位置に戻らないため雄ネジの先端２３が母体２８としての梁又は柱そしてポール等にほぼ垂直に押し付けられた状態になっている。【００２７】  もしも雄ネジの頭２１から雄ネジの先端２３までの長さがホルダー上部部分５から製品の台座の箱状のものの底面２９までの長さより短く、雄ネジの先端���３が製品の台座の箱状のものの底面２９の下まで達しない場合は、製品の台座の箱状のものの底面２９が母体２８となる梁又は柱そしてポール等に押し付けられる様になる。これはホルダー上部部分５の穴が雄ネジの頭２１を通さないため、雄ネジの頭２１を締められることは、細長いもの２０を乗せている移動可能板３とホルダー上部部分５の距離が短くなっていることである。【００２８】  このことは、細長いもの２０について考えると細長いもの２０と製品の台座の箱状のものの底面２９との距離が長くなっている事であり、母体２８としての梁又は柱そしてポール等から細長いもの２０が引き離なされていることである。当然そのため、細長いもの２０はが引き離されまいとする力により発生した張力で雄ネジ２１を締め付ける前の位置に戻ろうとしても、雄ネジ２１についている移動可能板３が元に戻らないため製品の台座の箱状のものの底面２９が押し付けられる様になる。【００２９】  製品と製品の台座の箱状のもの２６のどの位置に本発明の取り付け器具２５を取り付けるか又は雄ネジ４の長さをどの様に選ぶかにより製品の台座の箱状のものの底面２９を母体２８に押し付けるのか又は、雄ネジの先端２３を押し付けるのか等を設定することができる。また、設定をすることにより、設置するところの母体２８の形状が大きく雄ネジの先端２３が必ず設置できる時には雄ネジの先端２３が押し付けられるようになり、母体２８の形状が円柱で径が小さいため雄ネジの先端２３が必ず設置できない時には、製品の台座の箱状のものの底面２９を母体２８に押し付ける様にすることも出来る。【００３０】  図５に示す状況で移動可能板３を細長いもの２０の少しの隙間に挿入し細長いもの２０を乗せ、ホルダーの上部部分５の方に少し動かした時よりホルダー上部部分５の方により近くまでより大きな移動をした方が、雄ネジの先端２３が母体２８に押し付ける力は大きくなる。【００３１】  隙間の大きさは、雄ネジの頭２１を締めたり、緩めたり調節して母体の近くまで移動させた移動可能板３を挿入できる少しの隙間であり、移動可能板３の挿入位置からホルダー上部部分５の方に移動させた時の移動可能板３から製品の台座の箱状のものの底面２９までの距離は細長いもの２０が発生する張力が雄ネジの先端２３又は製品の台座の箱状のものの底面２９を母体に押し付ける力に比例する。【００３２】  これらの事は、雄ネジの頭２１を締めたり、緩めたり又は、雄ネジの長さをそして製品と製品の台座の箱状のもの２６おける本発明の取り付け器具の取り付け位置等を調節設定することにより雄ネジの先端２３を又は、製品の台座の箱状のものの底面２９等を母体２８に押し付ける力の量を調節することができるため、デリケートな母体、例えば植木とか発泡スチロールなどの造形品等に適した押し付ける力の量を選ぶことができる。このため、通常の取り付け方で、よりデリケートな母体２８に障害を与えることなく製品と台座を含む箱状のもの５３を固定し設置できる可能性がある。【００３３】  ホルダー上部部分５と雄ネジの頭２１との関係は、ホルダー上部部分５に雄ネジ４の軸の径より少し大きな穴で雄ネジの頭２１が決して抜け出ることのない穴を雄ネジ４のネジ軸は通っているだけであ���。そのためホルダー上部部分５のこの雄ネジ４の軸の径より少し大きな穴は移動可能板３の雌ネジの穴を通している移動可能板３を雄ネジ４のネジ軸に沿って移動させるのに何ら邪魔にはならない。【００３４】  それにより、移動可能板３に雌ネジの穴を複数作ってこれに対応したホルダー上部部分５にこの雄ネジ４の軸の径より少し大きな穴を複数作り、その穴それぞれに雄ネジの頭２１を締めたり、緩めたりすることによりそれぞれの雄ネジ４が移動可能板３をそれぞれの雄ネジ４のネジ軸に沿ってそれぞれ移動させることが可能である。このことは、一枚の移動可能板３に複数のネジジャッキを形成できることである。【００３５】  雄ネジの頭２１を締め付け細長いもの２０が持つ剛性力及び張力が許す限り母体面に平行に横たえている細長いもの２０を移動可能板３で母体２８から引き離し雄ネジの頭２１がホルダー上部部分５を強く押さえ、ホルダー上部部分５と移動可能板３とで細長いもの２０を強く挟み込み固定することは、細長いもの２０の張力を雄ネジの先端２３等ですべて受け雄ネジの先端２３が安定してほぼ垂直に母体２８を押し付けて固定していることである。【００３６】雄ネジの先端２３等が母体２８を押し付けて固定され、安定して雄ネジの先端２３が母体２８に取り付いている状態を崩す要因は、雄ネジの先端２３等が母体２８に押し付けられている状態を保つことができる母体２８との角度の範囲を超えて雄ネジ４が傾いてしまうこと、それから、何かのショックで移動可能板３に乗っている細長いもの２０が移動可能板３から外れてしまうことなどが挙げられる。【００３７】  しかしこれらの崩す要因は、図５からもわかる様に本発明の取り付け器具２５のホルダー脇部部分１を通して製品と製品の台座の箱状のもの２６が取り付いているため製品の台座の箱状のものの底面２９が母体面と近接して平行である限り異常な角度になることは考え難い、それから雄ネジと移動可能板とは、ネジジャッキを形成している内容で雄ネジ４が雌ネジの穴を通されている移動可能板３のある程度の面積と雄ネジの頭２１で強く押さえられているホルダー上部部分５のある程度の面積とで細長いもの２０を、強く挟み込み固定している状況で単なる一時的ショックで移動可能板３から細長いもの２０が外れることは考え難いと考える。【００３８】  これらのことより移動可能板３、移動可能板３を通しての雄ネジ４、細長いもの２０、ホルダー上部部分５とホルダー脇部部分１、製品と製品の台座の箱状のもの２６、そして母体が安定的に一体化されていると考える。この事は、製品と製品の台座の箱状のもの２６が細長いもの２０と本発明の取り付け器具２５によって母体２８にしっかり取り付けられていると言える。【００３９】  そして雄ネジの頭２１とホルダー上部部分５と移動可能板３で挟み込み強く固定されている状態を、さらに強く補強しようとするならば、細長いもの２０のほぼ真上の位置のホルダー上部部分５に、止めネジ用雌ネジ穴６を開けているので、その止めネジ用雌ネジ穴６に止めネジを入れて強く締め固定しさらに一体化が強化することができる。【００４０】  また、細長いもの２０の剛性力及び張力が許さなかったため又は、雄ネジの先端２３の母体２８に押し付け���力の量を制御するため等に細長いもの２０を移動可能板３とホルダー上部部分５で強く挟み込み固定できなかった場合、雄ネジの頭２１でホルダー上部部分５を強く押さえる様に締めこんだ状態でホルダー上部部分５が直接押さえる代わりに、細長いもの２０のほぼ真上の位置のホルダー上部部分５に止めネジ用雌ネジ穴を開けているので、その止めネジ用雌ネジ穴に止めネジを入れて強く締め固定する。【００４１】  この事は、止めネジを通したホルダー上部部分５と雄ネジを通した雌ネジの穴を持つ移動可能板３とで細長いもの２０を強く挟み込み固定することになる。このことによって雄ネジの頭２１でホルダー上部部分５を強く押すことと同じになり、ホルダー上部部分と細長いもの２０の関係は止めネジを使うことにより一体化される。これは、製品と製品の台座の箱状のもの２６は、母体にしっかり取り付けられたと言うことだと考える。【００４２】  雄ネジの頭２１、移動可能板３とホルダー上部部分５とで細長いもの２０を挟み込み固定することができることは、本発明の取り付け器具２５を使うことにより母体のどの面でも細長いもの２０に張力を発生させられれば母体２８に雄ネジの先端２３又は製品の台座の箱状のものの底面２９等を押し付けられることができる。そしてホルダー上部部分５と移動可能板３により細長いもの２０を挟み込み固定できているため製品と台座を含む箱状のものの重さを母体２８のどの面でも細長いもの２０により支えられる。このため母体２８である梁又は柱そしてポール等のどの面でも細長いもの２０と本発明である取り付け器具２５を使うことにより製品と製品の台座の箱状のもの２６を母体２８のどの面にも固定し設置することができる。【００４３】  これらのことは、タッピングネジ等を使用していないため製品と台座を含む箱状のものを母体２８である柱、梁そしてポール等のどの面においてもネジ穴跡を付けることなく取り付けられることである。【００４４】  また、細長いもの２０が少しの隙間を持って巻き付けられ又は沿わせられているため製品と台座を含む箱状のもの５３を本発明の取り付け器具２５の移動可能板３を隙間に挿入させたところまで下げることにより雄ネジの先端２３又は製品の台座の箱状のものの底面等が母体２８である梁または柱そしてポール等に押し付ける力が無くなるため取り付けた後でもそのまま母体２８に沿って多少の移動が容易にできる。【００４５】そして製品と台座を含む箱状のもの５３を母体２８である柱、梁そしてポール等に穴を開けたりする加工をしないで巻き付けた又は沿わせた細長いもの２０を移動可能板３が母体２８から引き離し張力を発生させそして雄ネジの先端２３が母体２８を押し付け母体２８に固定し設置できる。そして母体２８の面積が小さく雄ネジの先端２３が安定して母体を押し付けられない時、又は母体がデリケートである時、製品の台座の箱状のものの底面を母体２８に押し付けて尚且つ押し付ける力も調整した状態で母体２８に固定し設置できるため、母体の材質や形状が製品と台座を含む箱状のもの５３を母体２８に固定し設置することを左右する範囲は市販の取り付け器具に比べて少ないと考える。【００４６】  以上これらのことより、細長いもの２０を使った本発明の取り付け器具２５は、照明機器、監視カメラそして警告灯等の製品の形状、重さを支える台座の大半のものを母体２８に固定し設置できると考える。また、収納箱、棚そして展示棚等の製品についても本発明の取り付け器具２５を適切な箇所に適切に直接取り付けて細長いもの２０を使って使えば、大半のものを母体２８に固定し設置できると考える。
【発明の効果】
【００４７】  細長いもの２０と本発明の取り付け器具２５を使かって張力を発生させられれば、母体２８である梁又は柱そしてポール等のどの面にも製品と台座を含む箱状のもの５３を取り付け設置できる。【００４８】  ホルダー上部部分５と移動可能板３で金属の棒又はワイヤー等を強く挟み込み固定でき、止めネジを使うことにより更に強く補強した状態にできるので、金属の棒又はワイヤー等が単独で空間に架け渡され縦又は横に張られている場合でも金属の棒又はワイヤー等に製品と台座を含む箱状のものを強く固定し設置できる。【００４９】  母体２８である梁又は柱そしてポール等に細長いもの２０と本発明の取り付け器具２５使って製品と製品の台座の箱状のもの２６を固定し設置できるためタッピングネジ等を使わないので固定し設置できるのでネジ穴を母体に設けることはない。【００５０】  製品と台座を含む箱状のもの５３が取り付いている状態で細長いもの２０が少しの隙間を持って巻き付けられ又は沿わせられているための本発明の取り付け器具２５の雄ネジの頭２１を緩めて雄ネジの先端２３等の母体への押し付けが無くなる様にすることで取り付けた後でもそのまま母体２８にそって製品と台座を含む箱状のもの５３の多少の移動が容易にできる。【００５１】  設定をすることにより、設置するところの母体２８の形状が大きく雄ネジの先端２３が必ず設置できる時には雄ネジの先端２３が押し付けられるようになり、母体２８の形状が円柱で径が小さいため雄ネジの先端２３が必ず設置できない時には、製品の台座の箱状のものの底面２９が母体２８に押し付けられる様にすることも出来る。このため母体２８の材質や形状により母体２８に固定し設置できなくなる条件の範囲は狭い。【００５２】  この細長いもの２０をこの母体２８である梁又は柱そしてポール等に図２、図３の様に少し隙間を持って巻き付ける又は図３の様に沿わせることを行うことは、さほど難しいものではなく、図６製品と台座を含む箱状のものの様に本発明の取り付け器具２５の移動可能板を少しの隙間に挿入させることは易いであり、その後の作業も既定の単純作業であるため本発明の取り付け器具２５の取り付け作業は簡単であると言える。【００５３】  製品と製品の台座の箱状のもの２６のどの位置に本発明の取り付け器具２５を取り付けるか又は本発明の取り付け器具２５の雄ネジ２１の長さを選べば細長いもの２０による張力を制御でき雄ネジの先端２３等に加わる力の度合も選べる。そのため今まで簡単にできなかったデリケートな母体等に製品と台座を含む箱状のもの２６を簡単に固定し設置できる可能性が高い。【００５４】  母体２８である梁又は柱そしてポール等の取り付け面に段差があったとしても本発明の取り付け器具２５の雄ネジ２１の長さを選べば、母体２８である梁又は柱そしてポール等の段差のある取り付け面を雄ネジの長さで調節して設定した平行面で安定に固定した設置ができる。【００５５】  本発明の取り付け器具２５を２個図７本発明の取り付け器具２つを直接接続したものの様に直接接続して図８本発明の取り付け器具２つを直接接続したものの使用例に示す様に一方の本発明の取り付け器具３２には例えば梁に梁の細長いもの２７を使って取り付けもう一方の本発明の取り付け器具３２にはこれも棚の細長いもの３１を巻き付けてある棚３３を取り付ければ振り子運動又はゆるみ等なしで安定してそれでいて簡単にしっかり取り付けられる。この様に組み合わせ方と使い方等を考えれば使い方の応用範囲は広くなる。
【図面の簡単な説明】
【００５６】
【図１】  本発明の取り付け器具例
【図２】  アルミ棒単一品でできた細長いもの
【図３】  ワイヤー単一品でできた細長いもの
【図４】  アルミ棒とアルミＬ字アングルの複合品でできた細長いもの
【図５】  本発明の取り付け器具の原理構造図
【図６】  製品と台座を含む箱状のもの
【図７】  本発明の取り付け器具２つを直接接続したもの
【図８】  本発明の取り付け器具２つを直接接続したものの使用例
【図９】  本発明の取り付け器具のための複合品でできた細長いもの
【図１０】  製品の台座の箱状のものに本発明の取り付け器具を取り付け図
【図１１】  細長いものにガイド用洗濯バサミ等を取り付け様子
【図１２】  複合品でできた細長いものに製品と台座を含む箱状のものの取り付け図
【図１３】  アルミ棒の細長いものの表側と裏側
【図１４】  アルミ棒繋ぎ金具締め付け方
【図１５】  繋ぎ金具
【図１６】  ワイヤー組み込み治具
【図１７】  ワイヤー組み込み治具にワイヤーを組み込んだ状態
【図１８】  金属のポールに巻き付けたワイヤーとワイヤー組み込み治具の様子
【図１９】  ワイヤー組み込み治具で作ったワイヤーの隙間を差し込む様子
【発明を実施するための形態】
【００５７】  ここでは、発明を実施するための数多くの形態の中の一例を取って説明するものである。本発明を実施する一例として、図１の様な本発明の取り付け器具例に示すものを用意する。本発明の取り付け器具２５は、金属等の材質でできているコの字型部分のホルダーと移動可能板３そして雄ネジ４  ４本からできている。
【００５８】  図１に示す様にホルダー上部部分５とホルダー低部部分２の間には、４本の雄ネジ４により支えられ上下に移動する移動可能板部分３がある。
【００５９】  図１に示す様にホルダーをコの字型にしてあるのは、雄ネジ４のネジ軸が通るホルダー上部部分５の穴は雄ネジのネジ軸の径より少し大きい径に成っている。ホルダー上部部分５だけに穴がありこの穴だけが雄ネジ４のネジ軸受けと成っている場合、移動可動板３を移動させ細長いもの２０が移動可能板３に極端に傾いて当たる当たり方をした時等、又は製品取り付け台座に異常な力がかかって全体が一瞬移動した時等、移動可能板に予期せぬ方向の力がかかりホルダー上部部分５を又は、移動可能板３を破損してしまう可能性がある。そして、また、図１のホルダー底部部分２ない状態のために雄ネジ４を横に曲げようとする何らかの力が直接雄ネジ４に加わってしまって雄ネジが曲がってしまい移動可能板が動けなくなる等の可能性もある。
【００６０】  そのためホルダーをコの字型にして雄ネジ４のネジ軸がホルダー上部部分５とホルダー底部部分２に雄ネジのネジ軸の径より少し大きい径の穴を対向して開け、このそれぞれの穴が移動可能板３を挟む様に配置し、雄ネジのネジ軸受け穴を一対の２か所にし、移動可能板に予期せぬ方向の力が掛っても雄ネジのネジ軸のズレを最小限に成る様にし、できるだけ破損から本発明の取り付け器具を保護する様にした。
【００６１】  雄ネジ４本使用しているのは、この雄ネジ１本と移動可能板の関係は、ネジ軸とトラベリングナットの関係で１か所のネジジャッキを形成している。そのため移動可能板一枚に対して雄ネジ４本であるから移動可能板の細長いもの２０を母体２８から引き離す力は単純に考えて雄ネジ一本に対するものの４倍の力を発生させることができることになる。又そのことは移動可能板の雌ネジの穴１個所における負荷の軽減にもなり、細長いもの２０をホルダー上部部分５と移動可能板３で挟み込む加圧力の向上にもなっている。
【００６２】  ４本の雄ネジ４の長さは、細長いもの２０の剛性力及び張力は雄ネジの先端２３等への押し付け力を制御するための大きな手段である。ここでは雄ネジの長さをコの字型部分の平行に対峙するホルダー上部部分とホルダー低部部分の間の距離より少し長く設定してし、ホルダー上部部分に雄ネジの頭を接触させた時ホルダー低部部分から下に雄ネジの先端が少しはみ出る様にしている。
【００６３】  この雄ネジの頭２１を右に回して締めると移動可能板は取り付けホルダー上部部分の方に移動し、雄ネジの頭２１を左に回して緩めると移動可能板はホルダー低部部分の方に移動させることができる。
【００６４】  さらに図１に示すようにホルダー上部部分５に止めネジをはめ込こむための止めネジ用雌ネジ穴６を３か所設けてある。これらの止めネジ用雌ネジ穴６は、コの字部分の奥の雄ネジと手前の雄ネジと向かい合う雄ネジの内間隔を４分割するように設けてある。
【実施例１】
【００６５】  実施例１として本発明の取り付け器具による数多くの取り付ける場所に、数多くの取り付けるものを数多くの取り付け方で取り付けることができるが、ここでは図９に示す様に製品と台座を含む箱状のもの５３を梁１６にアルミ棒１４とＬアングル１３を使って取り付ける例を示す。【００６６】  両端に雄ネジの溝が切られているアルミ棒を梁に少し隙間を持たせ折り曲げて沿わせられるものと雄ネジ溝を持つアルミ棒を差し込むことができる穴を持つアルミＬアングルとで梁を囲みボルトで締めて動かない様にした。折り曲げたアルミ棒とアルミＬアングルの複合品を組み合わせられる様にした。そして梁に沿い滑らせ少し動かせる様にボルト１５の締めを調節して梁に取り付けた。【００６７】  図９本発明の取り付け器具のための複合品でできた細長いものに示す様にアルミ棒１４とアルミＬアングル１３とを組み合わせ梁に沿い少し動かせる様にしたものを複合品でできた細長いもの３６と呼ぶ事にする。その複合品でできた細長いもの３６を梁に２本取り付けた。【００６８】  図１０製品の台座の箱状のものに本発明の取り付け器具を取り付け図の様に製品と製品の台座となる箱状のもの２６に図１に示す本発明の取り付け器具２５を必要と思われるところ２か所に図１０の様にそれぞれ２本のボルト３４とナット３５で取り付けた。次にそれぞれの本発明の取り付け器具の移動可能板を動かす４本雄ネジの内コの字型のホルダーの開いている側の雄ネジ２本取り外し２２、それぞれの移動可能板３をコの字型のホルダー底部部分２に重なる様に下げた。【００６９】  図１１細長いものにガイド用洗濯バサミ等を取り付けた様子の様に２本の複合品でできた細長いもの３６に製品と台座を含む箱状のもの２６に取り付けてある本発明の取り付け器具２５を取り付けようとするところの下方にそれぞれガイド用洗濯バサミ等３７を取り付けた。【００７０】  図１２複合品でできた細長いものに製品と台座を含む箱状のものの取り付け図に示す様に複合品でできた細長いもの３６に隙間があるので片方の製品と台座を含む箱状のもの５３の本発明の取り付け器具２５の移動可能板３がホルダー底部部分２に重なっているところの部分をガイド用洗濯バサミ等３７に上方に乗せる様に横から差し込む、今度はもう一つの本発明の取り付け器具２５ための複合品でできた細長いもの３６をずらし動かしながらもう片方の製品と台座を含む箱状のもの５３の本発明の取り付け器具２５の移動可能板３がホルダー底部部分に重なっているところの部分にもう一方のガイド用洗濯バサミ等３７の上方に乗せるようにして横から差し込んで図１２に示す状態にした。【００７１】  複合品でできた細長いもの３６を移動可能板３でそれぞれ挟み込める状態にして製品と台座を含む箱状のもの５３の両方の本発明の取り付け器具２５において先に行ったコの字の開いている側の雄ネジ２本取り外した２２ところにそれぞれの雄ネジ２本を再び差し込み戻し再び締めた。【００７２】  それから製品と台座を含む箱状のもの５３の両方の本発明の取り付け器具２５におけるコの字の開いている側そして閉じている側の移動可能板３を支える４本の雄ネジ４をそれぞれ均等に締め続けた。【００７３】  製品と台座を含む箱状のもの５３の両方の本発明の取り付け器具２５における４本の雄ネジ４をそれぞれ均等に締め切ったところで、止めネジを今回は取り付けようと思ったので、それぞれの本発明の取り付け器具２５の中央の止めネジ用雌ネジ穴６に止めネジ３０を入れ強く締め取り付け本発明の取り付け器具２５にて複合品でできた細長いもの３６を押さえた。【００７４】  そして先に複合品でできた細長いもの３６に付けた２か所のガイド用洗濯バサミ等３７を外し取り去って一連の取り付け作業を終了し、そして製品と台座を含む箱状のもの５３が非常にがっちりと梁１６に取り付けられていることを確認できた。【００７５】  製品と台座を含む箱状のもの５３に取り付けてある本発明の取り付け器具２５を使って取り付けた状態で梁１６に沿って少し移動させるために、製品と台座を含む箱状のもの５３に取り付けてある本発明の取り付け器具２５の側面下それぞれの複合品でできた細長いもの３６の２か所にガイド用洗濯バサミ等３７を取り付けた。【００７６】  そして複合品でできた細長いもの３６を梁１６に沿って移動させるため、２本の複合品でできた細長いもの３６に製品と台座を含む箱状のもの５３の本発明の取り付け器具２５が取り付けてあるところの下方にそれぞれガイド用洗濯バサミ等３７を再度、取り付けた。
複合品でできた細長いもの３６を本発明の取り付け器具２５の止めネジ３０を締め付けて押さえているので、締め付けている止めネジ３０を外した。そして製品と台座を含む箱状のもの５３に取り付けてある両方の本発明の取り付け器具２５のそれぞれの移動可能板３を支える４本の雄ネジ４が梁面に掛らないようになるまで、それぞれの４本の雄ネジ４を緩め、緩め終わったら、それぞれの本発明の取り付け器具２５が取り付けてある複合品でできた細長いもの３６をそれぞれ手で持って梁に沿って移動させた。【００７７】  移動し終わったら再度、両方の本発明の取り付け器具２５のそれぞれの移動可能板３を支える４本のそれぞれの雄ネジ４を締め止まりするまで締め、そして止めネジが必要と思ったので、製品と台座を含む箱状のもの５３の本発明の取り付け器具２５にそれぞれの止めネジ３０を再度中央の同じ止めネジ用雌ネジ穴６へ入れ強く締めて取り付け、本発明の取り付け器具２５のための複合品でできた細長いもの３６をそれぞれ押さえた。【００７８】  そして先に本発明の取り付け器具２５のための複合品でできた細長いもの３６に付けた２か所のガイド用洗濯バサミ等３７を外して一連の移動作業は終了し、そして製品と台座を含む箱状のもの５３が非常にがっちりと梁１６取り付けられていることを確認できた。
【実施例２】
【００７９】  実施例２として本発明の取り付け器具による数多くの取り付ける場所に、数多くの取り付けるものを数多くの取り付け方で取り付けることができるが、ここでは製品と台座を含む箱状のもの５３を柱８等にアルミ棒の細長いもの７を使って取り付ける例を示す。【００８０】  図１３アルミ棒の細長いものの表側と裏側に示す様に、柱８の上側と下側に２本のアルミ棒の細長いもの７をそれぞれ繋ぎ金具９を使って柱８に巻き付け固定した。このアルミ棒をこの繋ぎ金具９を使い柱に巻き付け取り付けたものをアルミ棒の細長いもの７と呼び、柱にてアルミ棒の細長いもの７のこの繋ぎ金具９がある方をアルミ棒の細長いもの７の裏側とし、裏側の反対側であるアルミ棒の細長いもの７のこの繋ぎ金具９が無い方をアルミ棒の細長いもの７の表側とした。
アルミ棒の両端に雄ネジを切ってあり柱の断面寸法に合わせて曲げたアルミ棒の細長いもの７を２本繋ぎ金具９を使い柱８に巻き付け固定した。【００８１】  繋ぎ金具９の構造と使い方の例として柱とアルミ棒の細長いもの７を使って説明する。図１５繋ぎ金具に示す様にＬ字の垂直面部とＬ字の底面部に成っており、Ｌ字の垂直面部３９にネジ溝が切られたアルミ棒の細長いもの７の径より少し大きな径にした２つの穴を開けてある。図１４アルミ棒繋ぎ金具締め付け方に示す様にまずアルミ棒の細長いもの７の先端Ａ４１の雄ネジの奥までをナットＸ４３を締めてそれを図１４の様に繋ぎ金具９の片方の穴を通し更にナットＹ４４でこの繋ぎ金具９を挟むように締め付けてアルミ棒の細長いもの７の先端Ａ４１に繋ぎ金具９を固定した。【００８２】  図１５に示す様にこの繋ぎ金具９は、繋ぐために加わる色々な力に対する補強のため、そして繋ぎ金具９としてアルミ棒の細長いもの７が巻き付けられている柱８に対して座りがよく成る様にＬ字の底面部４０が柱８の面に接する様にした。母体２８の断面の形に沿って折り曲げているアルミ棒の細長いもの７を少し巻戻して母体にハメ、先端Ｂ４２を繋ぎ金具９の片方に開いている穴にＬ字の底面部４０の方から通し、そしてその後先端Ｂ４２をナットＺ４５で締め付け柱８に固定する。この例に示す様にこの繋ぎ金具９は小型、製作するのに非常に簡単で、安価にすることができた。【００８３】  先端Ａ４１に繋ぎ金具９をナットＸ４３とナットＹ４４で固定し後で移動可能板３を挿入できる様少し隙間を取るようにして柱の断面の形に沿って折り曲げているアルミ棒の細長いもの７を少し巻戻して柱８にハメ、先端Ｂ４２を繋ぎ金具９の片方の開いている穴にＬ字の底面部の方から通した。そしてその後先端Ｂ４２をナットＺ４５で少し締めた。柱の断面寸法に合わせて先に曲げてあるアルミ棒の両端に雄ネジを切る範囲は先端ＡにてナットＸ４３、ナットＹ４４によって固定される繋ぎ金具９を基準に先端ＢのナットＺ４５の締める量、緩める量を考えて雄ネジを切る範囲を決めた。そしてアルミ棒の細長いもの７が母体２８に対して巻き付けられている巻き付きを強くするときは、ナットＺ４５を締めつけ、巻き付きを弱くするときは緩める様にして巻き付きの度合をナットＺ４５で調節できる様にした。【００８４】  繋ぎ金具の穴を通しナットＺ４５で少し締める程度にして柱に沿って移動しようとすれば移動できる状態にしておき、製品と台座を含む箱状のもの５３を取り付けようとするところの上側と下側にそれぞれアルミ棒の細長いもの７を作り製品と台座を含む箱状のも５３をアルミ棒の細長いもの７の表側に取り付けることにした。【００８５】  そこで図６製品と台座を含む箱状のものに示す様に上下一対本発明の取り付け器具を取り付けてあるところの製品と台座を含む箱状のもの５３を用意し、それぞれの移動可能板３をホルダー底部部分２に重なる様にして、上下それぞれ本発明の取り付け器具２５の４本の雄ネジ４の中でコの字型の開いている側のそれぞれの雄ネジ２本取り外した２２。【００８６】  そして図１３の裏側の繋ぎ金具９のナットＺ４５を十分に締めてもアルミ棒の細長いもの７の持つ剛性力により繋ぎ金具９取り付け位置の裏側つまり図１３の表側のアルミ棒の細長いもの７の柱８に沿ったところの少しの隙間には、さほど影響なくそのまま少しの隙間は保てることを確認していた。【００８７】  そのため本体を柱８に設置しようとする場所で製品と台座を含む箱状のもの５３の下側の本発明の取り付け器具２５が来るところまで下側のアルミ棒の細長いもの７を柱に沿って移動させ繋ぎ金具９の図１４のナットＺ４５を強く締めて柱にアルミ棒の細長いもの７を確り固定した。【００８８】  又もう一本の上側の巻き付けてあるアルミ棒の細長いもの７を図６の本体を取り付けるのに邪魔にならないように柱８に沿って上げて図１４のナットＺ４５を軽く締め柱に止めた。【００８９】  下側のアルミ棒の細長いもの７の表側に図６に示す製品と台座を含む箱状のもの５３の下側の本発明の取り付け器具の移動可能板がホルダー底部部分２に重なっているところの部分を下側の巻き付けてあるアルミ棒の細長いもの７の隙間に差し込み、そして、上側のアルミ棒の細長いもの７を上側の本発明の取り付け器具２５の移動可能板がホルダー底部部分２に重なっているところの部分のところに下げて差し込んだ。それから上側のアルミ棒の細長いもの７の繋ぎ金具の図１４のナットＺ４５を強く締め確り固定した。【００９０】  製品と台座を含む箱状のもの５３の本発明の取り付け器具２５のそれぞれの先に雄ネジ２本取り外した２２雄ネジ４を再び差し込み締め、上下それぞれの本発明の取り付け器具２５におけるコの字型の開いている側そして閉じている側の移動可能板３を支える４本の雄ネジ４をそれぞれ均等に締め続けた。【００９１】  取り付けようとしている製品と台座を含む箱状のもの５３の上下の本発明の取り付け器具２５において４本の雄ネジ４をそれぞれ均等に締め切ったところで、止めネジ３０が必要と思われたので、上下それぞれの本発明の取り付け器具２５におけるホルダー上部部分の中央のそれぞれの止めネジ用雌ネジ穴６に止めネジ３０を取り付けアルミ棒の細長いもの７をそれぞれ押さえて一連の取り付け作業は終了した。そして製品と台座を含む箱状のもの５３が非常にがっちりと柱８に取り付けられていることを確認できた。【００９２】  製品と台座を含む箱状のもの５３に上下一対の本発明の取り付け器具２５を取り付けてあるものを取り付けた状態で柱８に沿って少し移動させるために、図６に示す製品と台座を含む箱状のもの５３の上下一対の本発明の取り付け器具２５でそれぞれ止めネジ３０でそれぞれのアルミ棒の細長いもの７を押さえていたため、これらの止めネジ３０を外した。【００９３】  上下それぞれの本発明の取り付け器具２５の移動可能板３を支える４本の雄ネジ４を柱面に掛らないようになるまで緩め、緩め終わったら上下両側にアルミ棒の細長いもの７の繋ぎ金具９の図１４のナットＺ４５をそれぞれ緩め上下両側のアルミ棒の細長いもの７を持って柱８に沿って移動させた。【００９４】  移動し終わったら下側のアルミ棒の細長いもの７繋ぎ締め金具９のナットＺ４５を強く締め次に上側のアルミ棒の細長いもの７の繋ぎ締め金具９の図１４のナットＺ４５を強く締め上下両側のアルミ棒の細長いもの７が動かないことを確認し再度、上下それぞれの本発明の取り付け器具２５の移��可能板３を支える４本の雄ネジ４をそれぞれ締め止まりするまで締め、止めネジ３０がそれぞれ必要と思われたので、上下の本発明の取り付け器具２５のホルダー上部部分５の中央の止めネジ用雌ネジ穴６それぞれに止めネジ３０を取り付け締めてアルミ棒の細長いもの７を押さえた。【００９５】  これにて一連の取り付け作業は終了し、そして製品と台座を含む箱状のもの５３が非常にがっちりと柱８に取り付けられていることを確認できた。
【実施例３】
【００９６】  実施例３として本発明の取り付け器具による数多くの取り付ける場所に、数多くの取り付けるものを数多くの取り付け方で取り付けることができるが、ここでは図６に示す製品と台座を含む箱状のもの５３を金属のポール１２にワイヤー等を巻き付けて取り付ける例を示す。【００９７】  まず図６の製品と台座を含む箱状のもの５３を金属のポール１２に取り付けるために使用するワイヤー等をワイヤーの細長いもの１０と呼ぶ事にする。図６の製品と台座を含む箱状のもの５３で使われている本発明の取り付け器具２５の移動可能板３上に２本以上乗せられるワイヤーの細長いもの１０の径でこの金属のポール１２の円周の３倍以上の適切な長さのワイヤーの細長いもの１０を２本切り出す。【００９８】  このワイヤーの細長いもの１０は製品と台座を含む箱状のもの５３の総重量をはるかに超えた重さに耐うる強度を持つものを選んだ。ワイヤーの細長いもの１０の先端が作業者を傷つけないためと、本発明の取り付け器具２５からの抜け止めのため切り出したワイヤーの両端にアルミ管をそれぞれ圧着した。【００９９】  次にワイヤーの細長いもの１０を曲げたりするとその跳ね返り力が強くどうしても扱いにくいことが問題となった。このためこの問題を解消するために図１６ワイヤー組み込み治具に示すワイヤー組み込み治具５２を用意した。【０１００】  このワイヤー組み込み治具５２は図１６に示す様に本発明の取り付け器具２５とほぼ同じ高さ４９でコの字型の形をしている。そして本発明の取り付け器具の幅より少し広い４６本発明の取り付け器具２５が全部十分に収まる長さ４７、本発明の取り付け器具の移動可能板の幅とほぼ同じ５０そしてワイヤーの反発力に十分に耐えられる剛性力を持つ材料４８を包み差し込むことができるような構造にしいる。【０１０１】  これにより、図３に示す様にワイヤーの細長いもの１０を金属のポール１２に巻き付け図１６のワイヤー組み込み治具５２に図１７ワイヤー組み込み治具にワイヤーを組み込んだ状態に示す様にワイヤーの細長いもの１０の両端をワイヤー組み込み治具５２の溝にはめ込んだ。ワイヤーの細長いもの１０を金属のポール１２に巻き付け溝にはめ込んだ様子を図１８金属のポールに巻き付けたワイヤーとワイヤー組み込み治具の様子を示す。【０１０２】  図１７に示す様にワイヤー組み込み治具５２には、本発明の取り付け器具２５の移動可能板３をホルダー底部部分２に重なる様に下げコの字型の開いている側の雄ネジ２本外した２２ところに移動可能板３に２本分のワイヤーを挿入し乗せられるように、挿入させるワイヤーの径より少し幅が太い溝５１をワイヤー組み込み治具５２に作っておき図１７に示す様にワイヤーの細長いもの１０の両端をワイヤー組み込み治具５２に組み込む、そして本発明の取り付け器具２５の移動可能板３とホルダー底部部分２に重なった部分が挿入できる様に母体２８となる金属のポール１２から少しの隙間ができる様にしている。【０１０３】  そこに、図６に示す製品と台座を含む箱状のもの５３に上側と下側に取り付けてある本発明の取り付け器具２５の４本の雄ネジ４をそれぞれ緩め移動可能板３をホルダー底部部分２に重なる様押し下げる。それからコの字の開いている側の��側と下側の本発明の取り付け器具２５ついてそれぞれ雄ネジ２本取り外した２２。【０１０４】  本体の上側の本発明の取り付け器具２５の移動可能板３とホルダー底部部分２が重なっているところを図１７に示す様にワイヤー組み込み治具５２により作られた少しの隙間に図１８に示す差し込む方向５４の様に下から上の方に差し込んだ。【０１０５】  そして先に雄ネジ２本取り外した２２ネジを再び差し込み締める。それから差し込まれている４本の雄ネジを少しずつ均等になるようそれぞれ甘く締めた状態にしておき図１８に示す双方のワイヤー１０の端の圧着されたアルミ管１１付近を２か所、両手でそれぞれ持ちワイヤー１０を両側に引き締める。ワイヤー１０を強く締めた後、本発明の取り付け器具２５のそれぞれの４本の雄ネジ４をある程度強く締めた。【０１０６】  ワイヤー組み込み治具５２に組み込まれたワイヤー１０をそれぞれ両手で持ち両側に引き締めた後、手を持ち替えて４本の雄ネジ４をある程度強く締める。この作業を何度か行なった。【０１０７】  本来なら手を次の作業のため持ち替え時、ワイヤーの細長いもの１０の引き締め戻りがあっても良いはずなのであるが、ワイヤーの細長いもの１０から手を放しても両側に引き締めたワイヤーの細長いもの１０の戻りは殆ど発生しなかった。これは、ワイヤー組み込み治具５２の形状と材料そして材料の厚みが程よく適合したためだと思われる。そのためワイヤー組み込み治具５２の溝によるワイヤーの細長いもの１０の引き締めにかかる力の感触と引き締め戻りが出ない引っかかりは程よかった。【０１０８】  ワイヤー組み込み治具５２は、本発明の取り付け器具２５へのワイヤーの細長いもの１０の組み込み作業を容易にするとともに、ワイヤーの引き締め戻りを防ぐ有用な治具である。【０１０９】  又、金属のポール１２へのワイヤー１０の巻き方については、金属のポール１２とワイヤー１０との接触部分を多くし、かつワイヤーを両手で引き締めた時の力がワイヤー全体に良く伝わり、ワイヤーの張りが均一になる様に、ポールの径と製品と台座を含む箱状のもの５３の大きさをも考慮して図３に示す様な巻き方を今回は行った。【０１１０】  その後、図１８に示すワイヤー組み込み治具５２を抜き、ワイヤーの細長いものの圧着したアルミ管１１付近を２か所、両手で持ちワイヤーの細長いもの１０を再度両側に強く引き締め、これ以上引き締められない程度まで締めた。【０１１１】  ただ、あまり締めることだけを考えて締めると製品と台座を含む箱状のもの５３の下側の本発明の取り付け器具２５の部分が金属のポール１２より浮いて傾いてしまうため、本体が金属のポール１２にぴったり着く様にした状態でワイヤーの細長いもの１０締めるのは一時やめ上側の本発明の取り付け器具２５の４本の雄ネジ４をそれぞれ再度締めた。【０１１２】  さらに下側の本発明の取り付け器具２５が金属のポール１２にぴったり着いている状態を確認しながらワイヤーの細長いもの１０の引き締めを更に行いそして本発明の取り付け器具２５の４本の雄ネジ４を更に締めた。【０１１３】  ワイヤー１０の引き締める作業と４本の雄ネジ４を締める作業を交互に行なって締め止まりになるまで行なった。【０１１４】  次に下側の本発明���取り付け器具２５の方に取り掛かった。上側の本発明の取り付け器具２５の時は製品と台座を含む箱状なもの５３の上側の本発明の取り付け器具２５をワイヤー組み込み治具５２で作ったワイヤー１０の隙間に下から上に入れたが下側の本発明の取り付け器具２５の場合は、下側の本発明の取り付け器具２５に図１９ワイヤー組み込み治具で作ったワイヤーの隙間を差し込む様子で示す様にワイヤー組み込み治具５２で作ったワイヤーの細長のもの１０の隙間を図１９に示す差し込む方向の様に下から上に動かして差し込む様にした。【０１１５】  そして下側の本発明の取り付け器具２５の先に雄ネジ２本取り外した２２雄ネジ４を再び差し込み緩く締め、最後まで締め付けない状態にしておき図１９に示すワイヤーの細長いもの１０の圧着されたアルミ管１１の付近を２か所、両手で持ちワイヤーの細長いもの１０を両側に引きワイヤーの細長いもの１０を締める。ある程度締めた後、下側の本発明の取り付け器具２５の４本の雄ネジ４をそれぞれ同程度締め付けた。【０１１６】  この作業を何度か行ない、そして図１９に示すワイヤー組み込み治具５２を抜き、ワイヤー１０の圧着されたアルミ管１１の付近を２か所、両手で持ちワイヤーの細長いもの１０を再度両側に引きワイヤーの細長いもの１０を強く締め、これ以上引き締められない程度まで締める作業を行った。それから本発明の取り付け器具２５の４本の雄ネジ４を十分に締める作業を行った。これらの作業を交互に行なった。そしてワイヤーの細長いもの１０の引き締めも本発明の取り付け器具２５の４本の雄ネジ４締めもこれ以上できないところまで行った。【０１１７】  それから止めネジ３０をそれぞれ上側と下側の本発明の取り付け器具２５に付けようと思ったので、上側と下側の本発明の取り付け器具２５のホルダー上部部分の中央以外の両脇の２個の止めネジ用雌ネジ穴６にそれぞれ止めネジ３０をねじ込みワイヤーの細長いもの１０を確実に押さえるようにして一連の作業は終了した。そして製品と台座を含む箱状のもの５３が非常にがっちりと取り付けられていることを確認できた。【０１１８】  金属のポール１２に製品と台座を含む箱状のものを５３本発明の取り付け器具２５にて取り付けた状態で金属のポール１２に沿って少し移動しようと思ったので、図６に示す製品と台座を含む箱状のもの５３に付けてある上側と下側の本発明の取り付け器具２５の止めネジ３０でワイヤーを押さえているので、付いている止めネジ３０をすべて外し、上側と下側の本発明の取り付け器具２５の移動可能板３を支える４本の雄ネジ４を金属のポール１２面に掛らないようになるまで、又はワイヤーの細長いもの１０の両端の抜け止めの圧着されたアルミ管１１が通り抜けできない程度に上側と下側との本発明の取り付け器具２５の移動可能板３を支える４本の雄ネジ４を緩め、緩め終わったら図６に示す製品と台座を含む箱状のもの５３を手で持ち、もう一方の手でワイヤー１０を直接触れてワイヤー１０自体の締め付けを解きながら金属のポール１２に沿わせて移動させた。【０１１９】  移動させることができたので、上側の本発明の取り付け器具２５の移動可能板３を支える４本の雄ネジ４をそれぞれ少し狭めに締めそして、ワイヤーの圧着されたアルミ管１１付近を２か所、両手で持ちワイヤー１０を両側に引きワイヤー１０を締めこれ以上引き締められない程度まで締めた。それから本発明の取り付け器具２５の４本の雄ネジ４を十分に締めた。そしてワイヤー１０の引き締める作業と４本の雄ネジ４を締める作業を交互に行なって締め止まりになるまで行なった。【０１２０】  それから下側の本発明の取り付け器具２５についても同じように下側の本発明の取り付け器具２５の移動可能板３を支える４本の雄ネジ４をそれぞれ少し狭めに締めそして、ワイヤー１０の圧着されたアルミ管１１付近を２か所、両手で持ちワイヤー１０を両側に引きワイヤーを締めこれ以上引き締められない程度まで締めた。そしてワイヤー１０の引き締めることと４本の雄ネジ４を締めることを交互に行なって締め止まりになるまで行なった。【０１２１】  それから止めネジ３０を取り付け様と思ったので、上側と下側の本発明の取り付け器具２５のホルダー上部部分の中央以外の両脇の２個の止めネジ用雌ネジ穴６それぞれ止めネジをねじ込みワイヤーの細長いもの１０を確実に押さえるようにして一連の作業を終了した。そして製品と台座を含む箱状のもの５３が非常にがっちりと取り付けられていることを確認できた。
【産業上の利用可能性】
【０１２２】  本発明の取り付け器具は、電子看板、表示器・表示機、スピーカ、アンテナ、太陽パネル、各種センサー、小型モータ、警告灯、照明機器、監視カメラ等において図１９の製品の台座となる箱状のものに本発明の取り付け器具を取り付け、または製品に本発明の取り付け器具を収納箱、棚そして展示棚等の製品に直接取り付けても使用でき、かつ実施例等から見ても有意義な使用ができる事は明らかで、産業上有意義な利用でき、その利用できる製品の範囲は当然広いと思われる。【０１２３】  本発明の取り付け器具は立木の枝にも枝を傷めず取り付けができるので、本発明の取り付け器具を使って照明機器、スピーカそして小物等を一般の人が立木に容易な作業で木の枝等に製品を取り付けられるのでイベントの時立木等へ看板、垂れ幕などを取り付けに利用でき、イベント後は取り外す等の新しい利用方法があるかもしれない、また、立木を外からスポットライトで照らすだけではなく、例えば幹の近くにミラーボールを設置してその近くの枝に数か所スポットライトや照明機器を配置して照らせば夏の夜の新しい芸術的表現に繋がるかもしれない。【０１２４】  本発明の取り付け器具の発明の効果のところでも示したが本発明の取り付け器具を二個直接に接続したものを使うことにより、梁などに発泡スチロールなど出できたイベント用造形物を吊るす場合等、発泡スチロールの表面がもろいため取り付け部分に工夫が必要であると思うが、本発明の取り付け器具を図１１の２個直接に接続したものを使い、梁に発泡スチロールの造形物を吊るそうとする時、梁には図１４の様に取り付け発泡スチロールの造形物には帯の様に細長いものを巻いて本発明の取り付け器具に挿入するところだけ細くしたもので縛る様に取れ付ければ、本発明の取り付け器具を使って取り付けているため振り子運動なしの安定した設置ができる。そのためイベントでの造作物や舞台の大道具などの造作物について大きいものを、短時間でそして安く製作のできる可能性があると思われる。
【符号の説明】
【０１２５】１    ホルダー脇部部分
２    ホルダー底部部分
３    移動可能板
４    雄ネジ
５    ホルダー上部部分
６    止めネジ用雌ネジ穴
７    アルミ棒の細長いもの
８    柱
９    繋ぎ金具
１０  ワイヤーの細長いもの
１１  圧着されたアルミ管
１２  金属のポール
１３  アルミＬ字アングル
１４  アルミ棒
１５  ナット
１６  梁
１７  ボルト
１８  製品の台座の箱状のもの
１９  製品
２０  細長いもの
２１  雄ネジの頭
２２  雄ネジ２本取り外した
２３  雄ネジの先端
２４  細長いものを挟み込んだ様子
２５  本発明の取り付け器具
２６  製品と製品の台座の箱状のもの
２７  梁の細長いもの
２８  母体
２９  製品の台座の箱状のものの底面
３０  止めネジ
３１  棚の細長いもの
３２  本発明の取り付け器具部分
３３  棚
３４  ホルダー接続用ボルト
３５  ホルダー接続用ナット
３６  複合品でできた細長いもの
３７  ガイド用洗濯バサミ等
３８  ホルダー接続用穴
３９  Ｌ字の垂直面部
４０  Ｌ字の底面部
４１  先端Ａ
４２  先端Ｂ
４３  ナットＸ
４４  ナットＹ
４５  ナットＺ
４６  本発明の取り付け器具の幅より少し広い
４７  本発明の取り付け器具が全部十分に収まる長さ
４８  ワイヤーの反発力に十分に耐えられる剛性力を持つ材料
４９  本発明の取り付け器具とほぼ同じ高さ
５０  本発明の取り付け器具の移動可能板の幅とほぼ同じ
５１  挿入させるワイヤーの径より少し幅が太い溝
５２  ワイヤー組み込み治具
５３  製品と台座を含む箱状のもの
５４  差し込む方向
【図１】
2019201192.tif 000003
【図２】
2019201192.tif 000004
【図３】
2019201192.tif 000005
【図４】
2019201192.tif 000006
【図５】
2019201192.tif 000007
【図６】
2019201192.tif 000008
【図７】
2019201192.tif 000009
【図８】
2019201192.tif 000010
【図９】
2019201192.tif 000011
【図１０】
2019201192.tif 000012
【図１１】
2019201192.tif 000013
【図１２】
2019201192.tif 000014
【図１３】
2019201192.tif 000015
【図１４】
2019201192.tif 000016
【図１５】
2019201192.tif 000017
【図１６】
2019201192.tif 000018
【図１７】
2019201192.tif 000019
【図１８】
2019201192.tif 000020
【図１９】
2019201192.tif 000021